(57)【特許請求の範囲】
【請求項１】
通路内を移動する利用者を該利用者の移動方向に沿って所定間隔を存して配設された複数個の光学センサのうち隣接する２個以上が暗状態となることにより、前記利用者の位置を検出し、この検出情報に基づいて前記利用者の位置を管理するもので、
前記利用者の乗車券を投入させる投入口部と、
この投入口部から投入された前記乗車券が子供用か大人用かを判別する第１の判別手段と、
この第１の判別手段が投入された乗車券が子供用或いは大人用であると判別するのに基づいて１加算する子供用及び大人用のカウンタと、
前記光学センサよりも高所に設けられ、前記利用者の高さを検知する高さ検知センサと、
この高さ検知センサの検知結果に基づいて前記利用者が子供か大人であるかを判別する第２の判別手段とを具備し、
前記子供用のカウンタが１加算されて前記通路内に子供が存在する状態で、後続の利用者が前記通路内に侵入し、この侵入した利用者が大人であると判別されるのに基づいて前記子供用のカウンタを１減算して、前記大人用のカウンタを１加算することを特徴とする自動改札装置。
【発明の詳細な説明】
【技術分野】
【０００１】
本発明の実施形態は、自動改札装置に関する。
【背景技術】
【０００２】
現在、自動改札機を利用する旅客が増加し、自動改札装置が多用されている。
【０００３】
自動改札装置が開発されてから数十年が経過しているが、その間に多機能な自動改札装置が必要とされ、自動改札装置に様々な機能が付加されている。自動改札装置の開発当初は、対応券種が定期券と普通券のみで、印刷処理やパンチ処理等の機能もなかった。
【０００４】
しかし、現在の自動改札装置は、対応券種も様々となり、定期券、普通券はもちろんのこと、ＳＦカード、ＩＣカードと媒体も様々使用できるようになっている。
【０００５】
近年では、ＩＣカード対応のみの自動改札装置も開発され、広く使用されている。
【０００６】
将来、全券種がＩＣ化となることが予想され、自動改札装置での搬送機構よりも、人間検知制御に注目が集まっている。
【先行技術文献】
【特許文献】
【０００７】
【特許文献１】特開２００５−４２８５号公報
【発明の概要】
【発明が解決しようとする課題】
【０００８】
しかしながら、従来におけるゾーン型の人間検知制御は、簡易的な方法で人間の通過を判断していたため、ノイズ、外乱、意地悪的な動きに弱い面がある。また、子供の通過による制御の不明確さにより、様々な問題が挙げられる。
【課題を解決するための手段】
【０００９】
課題を解決するため、実施形態は、通路内を移動する利用者を該利用者の移動方向に沿って所定間隔を存して配設された複数個の光学センサのうち隣接する２個以上が暗状態となることにより、前記利用者の位置を検出し、この検出情報に基づいて前記利用者の位置を管理するもので、前記利用者の乗車券を投入させる投入口部と、この投入口部から投入された前記乗車券が子供用か否かを判別する第１の判別手段と、この第１の判別手段が投入された乗車券が子供用であると判別するのに基づいて１加算するカウンタと、前記光学センサよりも高所に設けられ、前記利用者の高さを検知する高さ検知センサと、この高さ検知センサの検知結果に基づいて前記利用者が子供か否かを判別する第２の判別手段とを具備し、前記投入された乗車券が子供用であるとともに、前記利用者が子供であることが判別され、この判別された子供が前記通路を通過するのに基づいて前記カウンタを１減算する。
【図面の簡単な説明】
【００１０】
【図１】一実施の形態である改札システムの構成を概略的に示す図。
【図２】図１の改札システムの自動改札装置を示す外観斜視図。
【図３】図２の自動改札装置を示す側面図。
【図４】図１の改札システムの自動改札装置を示す正面図。
【図５】図２の自動改札装置の電気的構成を示すブロック図。
【図６】管理テーブルの記憶内容の一例を示す図。
【図７】ステータスとその遷移を示す図。
【図８】前端ステータスと後端ステータスを説明する図。
【図９】センサ情報のデータの並びを示す図。
【図１０】センサの検出状態を示す図。
【図１１】通路内を通行する物体の判断を大人から傘に訂正した状態を示す図。
【図１２】成人の腹部の平均値、及び標準偏差を示す図。
【図１３】身長が１２５０ｍｍｍ未満の子供が通路を通過する際の処理を示す図。
【図１４】身長が１２５０ｍｍｍ未満の子供と身長が１２５０ｍｍｍ以上の子供が通路を通過する際の処理を示す図。
【図１５】身長が１２５０ｍｍｍ未満の子供と身長が１２５０ｍｍｍ以上の子供とが通路を通過する際の処理を示す図。
【図１６】大人であると判断された一人の利用者が通路内で検出された状態を示す図。
【図１７】図１６の利用者が通路内で二人に分離したときの検出状態を示す図。
【図１８】図１７で分離された利用者が大人或いは子供であるかが確定された状態を示す図。
【発明を実施するための形態】
【００１１】
以下、実施の形態について、図面を参照して説明する。
【００１２】
図１は、本発明の一実施の形態である改札システムを示すものである。
【００１３】
改札システムは、監視装置として機能するホストコンピュータ１０を備えている。このホストコンピュータ１０は、駅に設置された複数の自動改札機１００−１、１００−２…と通信回線２０を介して接続されており、これらの改札機１００を監視する。
【００１４】
ホストコンピュータ１０は、装置全体を制御するとともに下位に接続された各種機器を制御するもので、複数の改札機１００を統括して制御するＣＰＵ１１を有している。このＣＰＵ１１には、メモリ部１２、表示部１３、入力部１４、通信制御部１５などが接続されている。
【００１５】
メモリ部１２は、ホストコンピュータ１０自体、及び改札機１００などの下位の機器を制御するための制御データなどの各種データを記憶している。表示部１３は、ホストコンピュータ１０自体の動作状態、下位の機器の動作状態などを表示する。入力部１４は、各改札機１００の動作モードなど種々の情報を入力するためのキーボードや、接触を検知したのに基づいて対応する情報を出力するタッチパネルなどを有している。通信制御部１５は、下位の機器との間で通信回線２０を介して種々の情報の送受信を行う。
【００１６】
図２は自動改札機１００を示す外観斜視図である。
【００１７】
自動改札機は、通常、２台１組として設置され、両者の間に利用者が通行可能な改札通路６１が形成される。入場処理や出場処理どの改札処理を行う自動改札機で利用可能な券媒体としては、普通乗車券、定期券、特急券、回数券、入場券、プリペイドカードなどの磁気式及び無線式の券媒体を対象としている。
【００１８】
これら券媒体は、券媒体固有の識別情報、例えば複数の数字の組み合わせからなる複数桁の識別番号、及び、改札処理に必要な改札情報、例えば、利用可能な区間情報、有効期限情報、入場記録情報、出場記録情報、利用者情報などを有している。このような識別情報及び改札情報は、磁気式券媒体では、その券面の磁気記録層に所定形式で磁気記録されており、また、無線式券媒体では、そのメモリ部に所定形式で記憶されている。
【００１９】
自動改札機１００は、筐体１を備えている。筐体１は、投入口２、排出口３、表示部４、ドア機構５、フレーム６、光学センサ２１〜４６、高さ検知センサ５１〜５３、表示器８などを備えている。
【００２０】
投入口２は、筐体１における改札通路の上流側に設けられ、施設内への入場時または施設内からの出場時に投入された券媒体を受け取り可能である。投入口２の近傍には、券媒体の投入を阻止するためのシャッタが設けられている。また、排出口３は、筐体１における改札通路の下流側に設けられ、投入口２から受け取った券媒体を必要に応じて排出する。
【００２１】
表示部４は、利用者の通行方向に対して筐体１における排出口３の前方に配置され、利用者や係員などに対して種々の案内情報、例えば改札処理の結果に対応した案内画面を所定の表示パターンで表示する。ドア機構５は、筐体１における改札通路側の側面の両端部に配置され、利用者の通行を制御するために開閉可能に構成されている。このドア機構５は、利用者の通行を可能とする場合に改札通路を開放し、また、利用者の通行を阻止する場合に改札通路を閉鎖する。
【００２２】
フレーム６は、筐体１の上部に設けられ、改札通路を規定するための仕切りとなる。複数の光学センサ２１〜４６，高さ検知センサ５１〜５３は、筐体１及びフレーム６の改札通路側における側面部に配置され、利用者の通行を検知するための出力信号を出力する。表示器８は、フレーム６に配置され、小児券、無効券、または異常券の投入や、機器の異常など装置の動作状態を報知する。
【００２３】
図３は、自動改札機１００−１を示す側面図である。
【００２４】
この自動改札機１００−１の側面部に設けられた光学センサ２１〜４６は人間位置追従用の透過型の光センサで、この光センサは利用者の通行方向に沿って所定間隔を存して直線状に配設される投光素子２１ａ〜４６ａ（図４に示す）と、他方の自動改札機１００−２の側面部に投光素子２１ａ〜４６ａと対向する状態で配設される受光素子２１ｂ〜４６ｂとによって構成されている。図４のＬ１は、投光素子２１ａ〜４６ａから受光素子２１ｂ〜４６ｂへ投射される光の光軸を示している。
【００２５】
図３において、センサ２１〜４６の各センサ間の間隔は、人間の胴体の前後幅よりも小さな間隔、例えば８ｃｍに設定されている。この結果、隣接するセンサは、１人の人間により同時に遮光されて検知信号を出力するようになっている。
【００２６】
図３の高さ検知センサ５１〜５３は、大人と小児とを判別するための大人／小児センサであって、両方の自動改札装置１００−１，１００−２のそれぞれにセンサ２１〜４６の列よりやや上方の位置（床面から略１２５ｃｍｍ上方の位置）に設けられている。高さ検知センサ５１は、自動改札装置１００の入口付近に設けられ、高さ検知センサ５２は、自動改札装置１００の中央付近に設けられ、高さ検知センサ５３は、自動改札装置１００の出口付近に設けられている。
【００２７】
これらの高さ検知センサ５１〜５３は、反射型の光センサから構成されており、斜め上方へ光を投射してその反射光を受光する。図４のＬ２は、高さ検知センサ５１〜５３の光軸を示している。
【００２８】
図５は、自動改札装置１００の電気的構成を示したブロック図である。
【００２９】
７１は自動改札装置１００の動作を制御するＣＰＵ（データ化手段、判別手段、確定手段、記録手段、判断手段）である。７２はメモリから構成される記憶部であって、乗車媒体から読み取ったデータ等が一時的に格納される領域や正券カウンタ７２ａの領域を備えたＲＡＭと、ＣＰＵ７１の動作プログラム等が格納されたフラッシュメモリと、自動改札装置１００の稼働データ等を蓄積するＥＥＰＲＯＭとを含んでいる。７３は通行する人間の位置を管理するための管理テーブルであって、記憶部７２の例えばＥＥＰＲＯＭに設けられている。ＣＰＵ７１および記憶部７２は、本発明の管理手段の一実施形態を構成する。
【００３０】
７４はゲート扉を駆動する扉駆動部であって、扉開閉用のモータや、モータの駆動回路などから構成される。７５は表示部であって、図１に示した表示部４、表示器８から構成される。７６は上位装置であるホスト装置（図示省略）との間で通信を行うホスト通信部、７７は自動改札装置１００の各部に電源を供給する電源部である。７８は人間検知部であって、図３に示した光学センサ２１〜４６、高さ検知センサ５１〜５３から構成される。７９はアンテナ５４の動作を制御するアンテナ制御部であって、アンテナ５４は非接触ＩＣカードからなる非接触媒体８１との間で無線通信を行い、非接触媒体８１に記録されている乗車情報等のデータを非接触で読み取る。
【００３１】
図６は、管理テーブル７３の記憶内容の一例を示すものである。
【００３２】
管理テーブル７３には、人ハンドル番号７３ａ、位置情報７３ｂ，７３ｃ、方向情報７３ｄ、投入券情報７３ｅ、大／小判別情報７３ｆ、通行情報７３ｇなどが記録される。
【００３３】
人ハンドル番号７３ａは、自動改札装置１００へ進入した利用者１人毎に割当てられる識別番号である。位置情報７３ｂ，７３ｃは、後述するステータスにより利用者の位置を表した情報であって、位置情報７３ｂは今回（更新後）のステータスに基づく位置情報、位置情報７３ｃは前回（更新前）のステータスに基づく位置情報である。
【００３４】
方向情報７３ｄは、利用者が自動改札装置１００のいずれの方向から進入したかを表す情報であり、改集札両用機の場合は、改札側から進入したか集札側から進入したかを表す情報である。投入券情報７３ｅは、投入券に関する情報であり、券種、大人券・小児券の区別、券の搬送方向などが含まれる。
【００３５】
大／小判別情報７３ｆは、図３の高さ検知センサ５１〜５３の検出結果から得られる情報であって、利用者が大人であるか小児であるかを表す情報である。
【００３６】
通行情報７３ｈは、正常客とそれ以外の異常客に関する情報であって、利用者が乗車券を提示しなかった場合は無札客、乗車券が提示されたがそれが有効な乗車券でなかった場合は無効客、進入が許されている側と反対の方向から進入した利用者の場合は逆進入客としてそれぞれのフラグがセットされ、いずれも異常客として取り扱われる。これらの場合以外は、すべて正常客として取り扱われる。また、通行情報７３ｈに正券カウンタ状態、出口通過通知状態、認識開始ステータス番号、傘フラグ、分離フラグ、分離対テーブル番号、くっつきフラグ、くっつき対テーブルなどが含まれている。
【００３７】
以上のような管理テーブル７３により、自動改札装置１００を通行する人間の位置などが１人毎にリアルタイムに管理される。
【００３８】
次に、上述した自動改札装置１００における人間検知の原理を説明する。
【００３９】
図７は、ステータスとその遷移を説明する図である。
【００４０】
ステータスとは、複数個のセンサをグループ化し、各グループごとにセンサ位置に対応して割り当てた位置情報のことである。
【００４１】
例えば、図７（ａ）のようにセンサ２１とセンサ２２とが１グループを構成し、当該グループに対してステータスＳＴ１が割り当てられる。また、図７（ｂ）のように隣接するセンサ２２とセンサ２３とが１グループを構成し、当該グループに対してステータスＳＴ２が割り当てられる。また、図７（ｃ）のように隣接するセンサ２３とセンサ２４とが１グループを構成し、当該グループに対してステータスＳＴ３が割り当てられる。以後、順次同様にしてステータスＳＴ４〜ステータスＳＴ４６（図７ｆ）が割り当てられる。
【００４２】
管理手段であるＣＰＵ７１は、人間検知部７８におけるセンサ２１〜４６からの検知信号を監視して、１つのグループにおける複数個のセンサ全部が検知信号を出力している状態のとき、すなわち１グループ内のセンサの遮光状態のＡＮＤ条件が成立しているときに、そのグループのステータスに人間が位置していると判定する。
【００４３】
なお、１人の人間により遮光されるセンサの数は、その人間の胴体の幅により変化するが、以下では説明を簡単にするために、１人の人間により遮光されるセンサは隣接する２個のセンサのみと仮定する。
【００４４】
今、自動改札装置１００の入口側から利用者が進入してくる場合を考えると、最初に入口のセンサ２１，２２が同時に遮光状態となるから、この時点でＣＰＵ７１は、人間の現在位置が図７（ａ）のステータスＳＴ１であると判定する。利用者が通路６１を進むと、次にセンサ２３が遮光状態となるが、前述したようにセンサ２３とセンサ２２との間隔は人間の胴体の前後幅より小さいため、センサ２２，２３は遮光状態を維持しており、センサ２２，２３が同時に遮光状態となり、各センサから検知信号が出力される。したがって、ＣＰＵ７１は、人間の現在位置が図７（ｂ）のステータスＳＴ２であると判定する。
【００４５】
さらに、利用者が通路６１を進むと、次にセンサ２４が遮光状態となるが、センサ２３とセンサ２４との間隔は人間の胴体の前後幅より小さいため、センサ２３は遮光状態を維持しており、センサ２３，２４が同時に遮光状態となり、各センサから検知信号が出力される。したがって、ＣＰＵ７１は、人間の現在位置が図７（ｃ）のステータスＳＴ３であると判定する。以後、順次同様にして利用者が通路６１を進むに従ってその現在位置がステータスＳＴ４〜ステータスＳＴ４５（図７ｅ）であると判定される。
【００４６】
最後に、利用者が出口に至ると図７（ｆ）のようにセンサ４５，４６が同時に遮光状態となり、ステータスはＳＴ４６と判定される。その後、利用者が出口を抜けると、センサ４６は透光状態となり、ＣＰＵ７１は自動改札装置１００から利用者が退出したと判定する。
【００４７】
以上の過程において、ＣＰＵ７１はステータスＳＴ１を判定した時点で、自動改札装置１００へ進入した利用者に対して人ハンドル番号を割当て、管理テーブル７３（図６）に、割当てた人ハンドル番号７３ａを記録する。また、ＣＰＵ７１は、その人ハンドル番号の人の位置を前端ステータスと後端ステータスとで管理する。すなわち、入口から出口へ向う進行方向に人が通過する場合、センサが透光状態から遮光状態へ最初に変化する位置を前端ステータス、センサが遮光状態から透光状態へ最初に変化する位置を後端ステータスとする。例えば、図８において黒丸で示すセンサ２６，２７，２８が人で遮光されている場合、前端ステータスはＳＴ２８、後端ステータスはＳＴ２６となる。
【００４８】
なお、図１０では２つのステータスにより通行人の前端と後端を管理する例を示したが、通行人の胴体幅が小さい場合は、前述の例のように１つのステータスで前端と後端とを管理できる場合もある。また、通行人の胴体幅が大きい場合は、３つ以上のステータスのうち、先頭と最後のステータスにより前端と後端を管理することになる。
【００４９】
以上のような前端ステータスと後端ステータスは、管理テーブル７３に位置情報７３ｂ，７３ｃとして記録される。この場合、位置情報７３ｂには最新のステータスが記録され、位置情報７３ｃには１つ前のステータスが記録される。
【００５０】
ところで、本願発明においては、上記したセンサ２１〜４６の検出情報は４バイトデータで表現され、このデータの並びは、図９に示すように、Ｄ０〜Ｄ７に順に割り当てられるようになっている。
【００５１】
例えば、センサ２１〜４６の検知状態が図１０に示すような場合、検知情報は０ｘ０００００Ｃ１Ｅ０とデータ化されて管理テーブル７３にステータス情報として記録される。
【００５２】
次に、上記した構成において、通路６１内を傘を持った利用者が通過する場合について説明する。
【００５３】
従来のゾーン式での人間検知制御では傘を持った人間に対しては、「２人の大人」と誤認識するパタンがあった。誤認識する理由としては、ゾーン式での判別では高さ検知センサが暗となった時点で、「大人」と決め付けていたためである。利用者が傘を手前にまっすぐ立てた状態で通過した場合が誤認識パタンに該当する。
【００５４】
この実施の形態における追従式では、一旦「大人」と判断した場合でも、後から「傘」と判定できた場合は、その塊（管理テーブル）を「大人」から「傘」に変更することが可能となっている。
【００５５】
図１１は、通路６１内を傘を持った利用者が通過する際のセンサ２１〜４６の検出状態を変化前と変化後とで比較して示すものである。
【００５６】
検出状態の変化前は、センサ２９，３０が暗状態（塊Ａ）となり、その前端ステータスがＳＴ３０、後端ステータスがＳＴ２９となる。また、高さ検知センサ５１（〜５３）が暗状態となることにより、利用者は大人であると判別される。
【００５７】
検出状態の変化後は、センサ２９のみが暗状態（塊Ｂ）となり、その前端ステータスがＳＴ２９、後端ステータスがＳＴ２９となる。この検知情報に基づいて検知されたものは利用者ではなく傘と判定され、管理テーブル７３に傘フラグがセットされる。このように傘と判定した場合には、正券カウンタの取得対象外となり、また、無札などの異常進入判定も対象外となり、利用者の通過を妨げることがない。なお、管理テーブル７３は傘が通路６１を出るまで、その動きを追う。
【００５８】
上記したように透過型のセンサ１個のみ暗状態となった場合に、傘、つまり利用者ではないと判断する理由を説明する。
【００５９】
成人の腹部の厚みの平均値、及び標準偏差は、図１２に示す通りである。
【００６０】
Ｚ変換により、１６０ｍｍ（＝Ｘ）以下の成人腹部の厚みの比率を求めると、
Ｚ＝（Ｘ一μ）／σ
＝（１６０−２６３）／２５．５
＝一４．０３９
標準正規分布表から、確からしさは０．００００３となる。
【００６１】
このため、成人腹部の厚みが１６０ｍｍ以下の人は、約３万３千人に１人しかいないことになる。従って、透過型センサが１個のみが暗状態となった場合には、人ではないと判断しても問題はない。
【００６２】
次に、身長が１２５０ｍｍ以下の子供が定期券または切符を投入して通路６１を通過する場合について説明する。
【００６３】
図１３は、通路内を通過する子供を検出するセンサの検出状態を示すものである。
【００６４】
現在の人間検知制御では、身長が１２５０ｍｍ以下の子供が定期券または切符を投入して通過した場合には、正券残りが発生する。理由としては、高さが１２５ｍｍ以下の物体（子供や荷物等）であれば、無視することになっているためである。
【００６５】
追従式では、子供でも通路６１内にいる間は追いかけるため、子供通過を判断できる。
【００６６】
小児券が投入された場合、子供用の正券カウンタ７２ａをインクリメントし、子供が通路６１を通過することにより、子供用正券カウンタを減算する。これにより、正券投入後の子供通過による正券残りは発生せず、後続の人間を無賃で通過させてしまうことを防止することができる。
【００６７】
次に、身長が１２５０ｍｍ未満の子供と１２５０ｍｍ以上の子供（小学校高学年生）が、１枚の小児券で通路６１を通過する場合について説明する。
【００６８】
この場合には、例えば、図１４に示すようにセンサ２８〜３０が暗状態（塊Ｂ）となり、センサ３６〜３８が暗状態（塊Ａ）となる。先行する子供に子供用の正券カウンタが割り振られた場合には、このまま二人の子供が進むと、正券カウンタを取得している先行する子供の通過は認められるが、後続の子供は大人の無札と判断され、通過が規制されてしまう。たしかに、先行する子供が小児券を投入し、後続する子供が券を投入しない場合や、異常券を投入した場合には、上記したような状態になる。
【００６９】
しかしながら、先行する子供が小児券を投入しないで、後続の子供が小児券を投入した場合には、二人とも通過できなければならない（１２５０ｍｍ以下の子供の場合には、無視される）。
【００７０】
そこで、この実施の形態では、小児券が投入された場合には、以下のように処理する。
【００７１】
手順１．小児券が投入された場合は、子供用の正券カウンタをインクリメントする。
【００７２】
手順２．通路内に大人もしくは子供が進入した場合に正券を与える。
【００７３】
手順３．進入したのが子供である場合において、子供が通路内にいる間に大人が侵入して来た時には、子供の正券カウンタを削除して、大人に正券カウンタを与える。
【００７４】
図１５は上記した手順に沿って処理した場合の一例を示すものである。
【００７５】
すなわち、先行する１２５０ｍｍｍ未満の子供が小児券を投入しないで、通路６１内に進入し、ついで、後続の１２５０ｍｍ以上の子供が小児券を投入して通路６１内に進入する。これにより、先行する子供に正券が与えられ、後続の子供には正券は与えられない。この状態から先行する子供が通路内に存在する間に後続の子供が高さ検知センサ５１（〜５３）によって検知されて大人と判断された場合には、先行する子供の正券カウンタが削除されて後続の子供に正券カウンタが与えられる。これにより、身長が１２５０ｍｍ未満の子供と１２５０ｍｍ以上の子供（小学校高学年生）が、１枚の小児券で通路６１内に進入した場合であっても二人とも通過させることが可能となる。
【００７６】
次に、大人が一人であると判別された利用者が通路６１内を通過中に二人に分離した場合について説明する。
【００７７】
図１６は変化前のセンサの検出状態を示すもので、センサ２９〜３４が暗状態（塊Ａ）となっている。このセンサ２９〜３４によって検知される利用者は、高さ検知センサ５１（〜５３）によって検知されて大人であると判断され、その大人情報と人ハンドル番号＝１が管理テーブル７３に記録されている。
【００７８】
図１７は変化後のセンサ検出状態を示すもので、センサ２８〜３０が暗状態（塊Ｂ）で、センサ３２〜３４が暗状態（塊Ｃ）となっている。
【００７９】
上記した塊Ａ、塊Ｂ、塊Ｃのセンサ情報は、上記したようにデータ化され、塊Ａと塊ＢのデータがＡＮＤされてその結果に基づいて塊Ｂは塊Ａから派生したことが分かる。これは光学センサ２１から順に塊を検索するため、左側にある塊Ｂが先にヒットするためである。この時点では、塊Ｂが大人なのか、塊Ｃが大人なのかの区別はつかないため、塊Ｂを大人と仮定している。塊Ｃの管理テーブルは新規追加となる。この場合、管理テーブル７３の分離フラグと分離対テーブル番号を使用する。それぞれの管理テーブルにおける分離フラグをＯＮにして、分離対テーブル番号に分離した相手の人ハンドル番号をセットする。つまり、塊Ｂの管理テーブルには２をセットし、塊Ｃの管理テーブルには１をセットする。
【００８０】
図１８はセンサの検出状態がさらに変化した場合を示している。
【００８１】
図１７では、塊Ｂによって検出される利用者は大人と仮定していたが、仮定に反して塊Ｃによって検出された利用者が大人であった場合のパタンである。
【００８２】
分離対テーブルがある理由は、この時点では、どの塊と塊が分離したかがわからなくなるためである。大人であると検出された利用者は、分離対テーブル番号が１であるため、この塊から分離された塊は人ハンドル番号１の塊Ｂであると判別される。塊Ｃが大人と判定されることにより、その管理テーブルの分離フラグと、人ハンドル番号が分離対テーブル番号と等しい分離フラグをＯＦＦにする。さらに、それぞれの管理テーブル７３の分離対テーブル番号をクリアする。
【００８３】
これにより、一人の大人と判断された利用者が通路の途中で分離して二人になっても、分離した利用者が大人か子供であるかを確実に判別して確定することができる。
【００８４】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００８５】
以下、本願発明の当初の特許請求の範囲に記載された発明を付記する。
【００８６】
[１]  通路内を移動する利用者を該利用者の移動方向に沿って所定間隔を存して配設された複数個の光学センサのうち隣接する２個以上が暗状態となることにより、前記利用者の位置を検出し、この検出情報に基づいて前記利用者の位置を管理するもので、
前記光学センサよりも高所に設けられ、前記利用者の高さを検知する高さ検知センサと、
この高さ検知センサの検知結果に基づいて前記利用者が大人であるか否かを判断する判断手段とを具備し、
前記判断手段は、前記高さ検知手段の検知結果に基づいて前記利用者が大人であると判断したのちに、前記複数の光学センサのうちの１個のみが暗状態になるのに基づいて前記高さ検知手段によって検知されたものは、利用者ではないと判断することを特徴とする自動改札装置。
【００８７】
[２]  前記利用者ではないと判断されたものは、傘であることを特徴とする請求項１記載の自動改札装置。
【００８８】
[３]  通路内を移動する利用者を該利用者の移動方向に沿って所定間隔を存して配設された複数個の光学センサのうち隣接する２個以上が暗状態となることにより、前記利用者の位置を検出し、この検出情報に基づいて前記利用者の位置を管理するもので、
前記利用者の乗車券を投入させる投入口部と、
この投入口部から投入された前記乗車券が子供用か否かを判別する第１の判別手段と、
この第１の判別手段が投入された乗車券が子供用であると判別するのに基づいて１加算するカウンタと、
前記光学センサよりも高所に設けられ、前記利用者の高さを検知する高さ検知センサと、
この高さ検知センサの検知結果に基づいて前記利用者が子供か否かを判別する第２の判別手段とを具備し、
前記投入された乗車券が子供用であるとともに、前記利用者が子供であることが判別され、この判別された子供が前記通路を通過するのに基づいて前記カウンタを１減算することを特徴とする自動改札装置。
【００８９】
[４]  通路内を移動する利用者を該利用者の移動方向に沿って所定間隔を存して配設された複数個の光学センサのうち隣接する２個以上が暗状態となることにより、前記利用者の位置を検出し、この検出情報に基づいて前記利用者の位置を管理するもので、
前記利用者の乗車券を投入させる投入口部と、
この投入口部から投入された前記乗車券が子供用か大人用かを判別する第１の判別手段と、
この第１の判別手段が投入された乗車券が子供用或いは大人用であると判別するのに基づいて１加算する子供用及び大人用のカウンタと、
前記光学センサよりも高所に設けられ、前記利用者の高さを検知する高さ検知センサと、
この高さ検知センサの検知結果に基づいて前記利用者が子供か大人であるかを判別する第２の判別手段とを具備し、
前記子供用のカウンタが１加算されて前記通路内に子供が存在する状態で、後続の利用者が前記通路内に侵入し、この侵入した利用者が大人であると判別されるのに基づいて前記子供用のカウンタを１減算して、前記大人用のカウンタを１加算することを特徴とする自動改札装置。
【００９０】
[５]  通路内を移動する利用者を該利用者の移動方向に沿って所定間隔を存して配設された複数個の光学センサのうち隣接する２個以上が暗状態となることにより、前記利用者の位置を検出し、この検出情報に基づいて前記利用者の位置を管理するもので、
前記複数個の光学センサよりも高所に設けられ、前記利用者の高さを検知する検知センサと、
この検知センサの検知結果に基づいて前記利用者が大人、或いは子供であるかを判断する判断手段と、
前記光学センサの少なくとも隣接する２個以上の第１の光学センサ群が暗状態になることにより、その検出情報をデータ化するとともに、所定時間経過後、前記第１のセンサ群とは異なる第２及び第３のセンサ群が分離する状態で暗状態に変化することにより、その検出情報をデータ化するデータ化手段と、
このデータ化手段によってデータ化された検出情報を変化前と変化後とでＡＮＤしその結果に基づいて前記第１の光学センサ群の検出情報と前記第２及び第３の光学センサ群の検出情報の対応関係を判別する判別手段とを具備し、
前記第２及び第３の光学センサ群の何れか一方が暗状態になることによって検出された利用者を大人と仮定し、所定時間経過後、前記大人と仮定された利用者、及び大人と仮定されなかった利用者が前記高さ検知センサで検出されるか否かに基づいて大人であるか否かを確定することを特徴とする自動改札装置。
【００９１】
[６]  前記第２及び第３の光学センサ群によってそれぞれ分離検出される利用者の識別番号及び分離フラグをそれぞれの管理テーブルに記録するとともに、一方の管理テーブルに記載された識別番号を他方の管理テーブルの分離対テーブルにそれぞれ記録する記録手段を備え、
前記分離された一方の利用者が大人であると判断されるのに基づいて、この一方の利用者から分離された他方の利用者を前記分離対テーブルに記載された識別番号に基づいて判別することを特徴とする請求項５記載の自動改札装置。
【００９２】
[７]  前記分離された一方の利用者が大人であると判断されたとき、この大人と判断された利用者の管理テーブルの分離フラグと、識別番号が分離対テーブル番号と等しい分離フラグをＯＦＦするとともに、それぞれの管理テーブルの分離対テーブル番号をクリアすることを特徴とする請求項５記載の自動改札装置。
【符号の説明】
【００９３】
２…投入口部、２１〜４６…光学センサ、３３〜３８…第１のセンサ群、２８〜３０…第２の光学センサ群、３２〜３４…第３の光学センサ群、５１〜５３…高さ検知センサ、６１…通路、７１…ＣＰＵ（データ化手段、判別手段、確定手段、記録手段、判断手段）、７２ａ…カウンタ、７３ａ…人ハンドル番号（識別番号）、７３…管理テーブル。
【図１】
0005459687.tif 000002
【図２】
0005459687.tif 000003
【図３】
0005459687.tif 000004
【図４】
0005459687.tif 000005
【図５】
0005459687.tif 000006
【図６】
0005459687.tif 000007
【図７】
0005459687.tif 000008
【図８】
0005459687.tif 000009
【図９】
0005459687.tif 000010
【図１０】
0005459687.tif 000011
【図１１】
0005459687.tif 000012
【図１２】
0005459687.tif 000013
【図１３】
0005459687.tif 000014
【図１４】
0005459687.tif 000015
【図１５】
0005459687.tif 000016
【図１６】
0005459687.tif 000017
【図１７】
0005459687.tif 000018
【図１８】
0005459687.tif 000019